(57)【要約】  歯科用インプラント（１０）、経上皮スリーブ（２０）、第１のスクリュー（３０）、上部部品（４０）および第２のスクリュー（５０）を備える、歯科用インプラントおよび補綴部品のセット（１）。歯科用インプラント（１０）の上端部と経上皮スリーブ（２０）の下端部とは、第１の接続部（６０）を介して結合可能であり、経上皮スリーブ（２０）の上端と上部部品（４０）の下端部とは、第２の接続部（７０）を介して結合可能である。それぞれ経上皮スリーブと歯科用インプラント（１０）および上部部品（４０）との２つの回転防止接続部（６０、７０）の組み合わせにより、このセットは、単一の歯科用インプラント上の一体の補綴部品がねじれに対して抵抗性があり、歯科用インプラント（１０）に対して補綴部品が回転することが防止される。
2018531713.tif 000002
【特許請求の範囲】
【請求項１】
歯科用インプラントおよび補綴部品のセット（１）であって、
歯科用インプラント（１０）、
経上皮スリーブ（２０）、
第１のスクリュー（３０）、
上部部品（４０）および
第２のスクリュー（５０）を備え、
前記歯科用インプラント（１０）の上端部と前記経上皮スリーブ（２０）の下端部とは、第１の接続部（６０）を介して結合可能であり、
前記経上皮スリーブ（２０）の上端部と前記上部部品（４０）の下端部とは、第２の接続部（７０）を介して結合可能であり、
前記第１のスクリュー（３０）は、前記経上皮スリーブ（２０）を通って前記歯科用インプラント（１０）の止まりねじ穴（１３）にねじ込まれ、前記経上皮スリーブ（２０）を前記歯科用インプラント（１０）に対して固定するように構成されており、
前記第２のスクリュー（５０）は、前記上部部品（４０）を通って前記第１のスクリュー（３０）の止まりねじ穴（３６）にねじ込まれ、前記第１のスクリュー（３０）を前記経上皮スリーブ（２０）に対して固定するように構成されており、
前記セットは、
前記経上皮スリーブ（２０）の下端部と前記歯科用インプラント（１０）の上端部との間の前記第１の接続部（６０）が、回転不能になっており、
前記経上皮スリーブ（２０）の上端部と前記上部部品（４０）の下端部との間の前記第２の接続部（７０）が、回転不能になっている、歯科用インプラントおよび補綴部品のセット（１）。
【請求項２】
前記第１の接続部（６０）の回転防止構造および前記第２の接続部（７０）の回転防止構造が類似の形状を有し、前記歯科用インプラント（１０）の長手方向中心軸線の方向に整列されていることを特徴とする請求項１に記載された歯科用インプラントおよび補綴部品のセット（１）。
【請求項３】
前記第２の接続部（７０）が、前記経上皮スリーブ（２０）の雌型終端部（２２）と前記上部部分（４０）の雄型終端部（４４）との間の回転防止結合部を有することを特徴とする請求項１に記載された歯科用インプラントおよび補綴部品のセット（１）。
【請求項４】
前記経上皮スリーブ（２０）の前記雌型終端部（２２）は、等角度かつ等距離に配置された突出体（２５）を有する突出部（２４）を有し、前記上部部分（４０）の前記雄型終端部（４４）は、等角度かつ等距離に配置された突出体（４６）を有する突出部（４５）を有し、前記経上皮スリーブ（２０）の前記雌型終端部（２２）の前記突出部（２４）と前記上部部分（４０）の前記雄型終端部（４４）の前記突出部（４５）とが、回転防止結合できるようになっていることを特徴とする請求項３に記載された歯科用インプラントおよび補綴部品のセット（１）。
【請求項５】
各突出部（２４、４５）が４つの突出体（２５、４６）を有することを特徴とする請求項４に記載された歯科用インプラントおよび補綴部品のセット（１）。
【請求項６】
前記第１の接続部（６０）は、前記歯科用インプラント（１０）の雌型終端部（１５）と前記経上皮スリーブ（２０）の雄型終端部（２３）との間の回転防止結合部を有することを特徴とする請求項１に記載された歯科用インプラントおよび補綴部品のセット（１）。
【請求項７】
前記第２の接続部（７０）は、前記経上皮スリーブ（２０）の雌型終端部（２２）と前記上部部分（４０）の雄型終端部（４４）との間の回転防止結合部を有することを特徴とする請求項６に記載された歯科用インプラントおよび補綴部品のセット（１）。
【請求項８】
前記歯科用インプラント（１０）の前記雌型終端部（１５）は、等角度かつ等距離に配置された突出体（１７）を有する突出部（１６）を有し、前記経上皮スリーブ（２０）の前記雄型終端部（２３）は、等角度かつ等距離に配置された突出体（２７）を有する突出部（２６）を有し、前記歯科用インプラント（１０）の雌型終端部（１５）の前記突出部（１６）と前記経上皮スリーブ（２０）の前記雄型終端部（２３）の前記突出部（２６）とが、回転防止結合できるようになっており、
前記経上皮スリーブ（２０）の前記雌雄型終端部（２２）は、等角度かつ等距離に配置された突出体（２５）を有する突出部（２４）を有し、前記上部部分（４０）の前記雄型終端部（４４）は、等角度かつ等距離に配置された突出体（４６）を有する突出部（４５）を有し、前記経上皮スリーブ（２０）の前記雌型終端部（１５）の前記突出部（１６）と前記上部部分（４０）の前記雄型終端部（２３）の前記突出部（２６）とが、回転防止結合できるようになっていることを特徴とする請求項７に記載された歯科用インプラントおよび補綴部品のセット（１）。
【請求項９】
各突出部（１６、２４、２６、４５）が４つの突出体（１７、２５、２７、４６）を有することを特徴とする請求項８に記載された歯科用インプラントおよび補綴部品のセット（１）。
【発明の詳細な説明】
【技術分野】
【０００１】
本発明は、歯科用インプラントおよび補綴部品のセットに関するものである。特に、歯科用インプラントに固定されることが意図され、単一の歯科補綴物を支持する上部部品の固定のための回転防止上部接続部を有する経上皮スリーブを備えた、歯科用インプラントおよび補綴部品のセットに係るものである。
【背景技術】
【０００２】
歯科用インプラントは、患者の上顎骨または下顎骨に挿入されるように構成された生体適合性および骨伝導性の部品であり、１つ以上の歯科用補綴物または人工歯のためのアンカーとして作用する。各インプラントによって支持される人工歯の数は、インプラントが配置される場所、インプラントの近くに健康な歯または他の歯科用補綴物があるかどうか、挿入される人工歯の数などの様々な要因に依存する。
【０００３】
例えば、１組の様々な人工歯を含む歯科補綴物を２つ以上の歯科インプラントに装着させることが一般に行われている。ユニタリーインプラントと呼ばれる単一の歯科用インプラントに、単一の人工歯を含む歯科用補綴物を装着させることも一般に行われている。他方、単一または複数のインプラントを患者の骨に挿入した直後に、単一または複数の歯科用補綴物を単一または複数のインプラントに装着することができる。これは即時装着として知られている。あるいは、インプラントの挿入後のある時間が経ってから、補綴物を接続することができる。これにより、例えばインプラントの骨接合や何らかの感染症を治療することが可能になる。
【０００４】
通常、歯科用補綴物をインプラントに固定するには中間部品が必要である。まず、インプラントの上端は、「経上皮スリーブ」または「経上皮柱」として一般的に知られている部分に接続される。これは、貫通孔を有するスリーブのような形状をしている。経上皮柱は、インプラントの頭部に連結または着座させられ、第１のスクリューによってインプラントに固定される。第１のスクリューは、経上皮柱の貫通孔を通って、インプラントの内側の止まり穴にねじ込まれて、経上皮柱をインプラントに保持する。次に、ピラーポストが経上皮柱上に配置され、ピラーポストを通って第１のスクリューの止まり穴にねじ込まれるスクリューによって経上皮柱に固定される。単一または複数の歯科用プロテーゼが、ピラーポスト上に形成され、セメントまたは他の接着物質を使用して固定される。
【０００５】
要するに、経上皮柱の目的は、歯肉を通ってインプラントの頭部を延長させ、追加の部品および歯科用プロテーゼを固定することができる歯肉上の接続部を提供することである。これにより、例えば人工歯を歯肉から遠ざけることができ、したがって人工歯が歯肉に埋まって歯肉を劣化させることを防ぐことができる。換言すれば、経上皮柱は、患者の口内の生物学的環境を配慮することに役立つ。経上皮柱の別の利点は、インプラントの頭部を「延長」することで、経上皮柱が、その後の人工歯の構築のためのインプリントの捕捉を容易にすることである。
【０００６】
従来の経上皮柱は、一般に、ピラーポストの下側の雄型終端部を接続するための上側の雌型開口部を有する。上側の雌型開口部は、一般に円筒形または円形である。円形断面により、経上皮柱に対するピラーポストの回転位置を変えることが容易になり、傾きを修正し、複数のプロテーゼに要求される方向調整ができるため、従来の経上皮柱に複数の歯科用補綴物を容易に設置することができる。
【０００７】
しかし、従来の単一のインプラントの設置では、単一の歯科用補綴物が歯科用インプラントに対して固定されたままであることを確実にするために、中間の経上皮支柱なしでピラーポストを歯科インプラントに直接接続することが一般的である。従って、単一インプラントの挿入では、経上皮柱を導入することによる上記の利点は得られない。
【発明の概要】
【発明が解決しようとする課題】
【０００８】
本発明は、単一の歯科用インプラント上への単一の歯科用補綴物の配置を容易にするための経上皮柱を提供することを目的とする。
【課題を解決するための手段】
【０００９】
本発明の目的は、歯科用インプラント、経上皮スリーブ、経上皮スリーブに固定されることを意図した上部部分（例えば、ピラーポスト）、第１のスクリューおよび第２のスクリュースクリューを備える、歯科用インプラントおよび補綴部品のセットである。歯科用インプラントの上端部と経上皮スリーブの下端部とは、第１の接続部を介して結合可能である。経上皮スリーブの上端部と上部部品の下端部とは、第２の接続部を介して結合可能である。第１のスクリューは、経上皮スリーブを通って歯科用インプラントの止まりねじ穴にねじ込まれ、経上皮スリーブを歯科用インプラントに対して固定するように構成されている。第２のスクリューは、上部部品を通って第１のスクリューの止まりねじ穴にねじ込まれ、第１のスクリューを経上皮スリーブに対して固定するように構成されている。本発明では、経上皮スリーブの上端部と上部部品の下端部との間の第２の接続部が、回転できないようになっている。
【００１０】
したがって、本発明によれば、人工修復物が歯肉上に現れるように頭部の延長または伸長させることに加えて、一体的な人工構造体がねじ込まれることを可能にし、患者の体内で歯が回転することを防ぐ非回転の経上皮柱を有することができる。
【００１１】
本発明の詳細は、本発明の範囲を限定する意図ではない添付の図面から理解できる。
【図面の簡単な説明】
【００１２】
【図１】本発明の例示的な実施形態による歯科用インプラントの上面斜視図。
【図２】図１の歯科用インプラントの断面正面図。
【図３】図１の歯科用インプラントの上面平面図。
【図４】本発明の例示的な実施形態による経上皮スリーブの上面斜視図
【図５】図４の経上皮スリーブの底面斜視図。
【図６】図４の経上皮スリーブの断面正面図。
【図７】図４の経上皮スリーブの上面平面図。
【図８】本発明の例示的な実施形態による第１のスクリューの上面斜視図。
【図９】図８の第１のスクリューの底面斜視図。
【図１０】本発明の例示的な実施形態による上部部分の底面斜視図。
【図１１】図１０の上部部分の断面正面図。
【図１２】図１０の上部部分の底面平面図。
【図１３】本発明の例示的な実施形態による第２のスクリューの上面斜視図。
【図１４】これまでの図に示された歯科用インプラント、経上皮スリーブ、第１のスクリュー、上部部分および第２のスクリューのセットの断面斜視図
【図１５】図１４のセットの断面正面図。
【発明を実施するための形態】
【００１３】
本発明は、特に患者の上顎骨または下顎骨に単一の歯科用補綴物を固定するために示される、歯科用インプラントおよび補綴部品のセットに関するものである。歯科用インプラントおよび補綴部品のセットは、歯科用インプラント、経上皮スリーブ、経上皮スリーブに固定されることを意図された上部（例えば、ピラーポスト）、第１のスクリューおよび第２のスクリューを含む。本明細書に添付された図面には、このセットの一実施形態を示す。
【００１４】
図１〜図３に、本発明の一実施形態の図示された例として、歯科インプラント１０の２つの図を示す。歯科用インプラント１０は、頭部１１、ねじ付き本体１２、およびインプラントの上端で外方に開く止まりねじ穴１３を備える。止まりねじ穴１３は、歯科用インプラント１０のねじ付き本体１２と位置合わせされた内側ねじ領域１４と、歯科用インプラントの頭部１１に位置する雌型終端部１５を備える。雌型終端部１５は回転防止部を備える。回転防止部は、図に示すように、例えば、突出部１６とすることができる。この実施形態では、突出部１６は、等角度に配置された４つの突出体１７を備えている。すなわち、９０度毎の角度で配置されている。ねじ付き本体１２は、患者の上顎骨または下顎骨に固定されることを意図されており、その後、歯科用インプラント１０の骨接合が行われる。歯科インプラント１０が配置されると、歯科インプラント１０の頭部１１は一般に歯肉に埋め込まれる。例えば以下に記載されているような補綴部品が、歯科インプラント１０の雌型終端部１０に結合される。
【００１５】
図４〜図７に、本発明の一実施形態の図示された例として、経上皮スリーブ２０の３つの図を示す。図から解るように、経上皮スリーブ２０は、貫通孔２１を有し、その上端に雌型終端部２２を、下端に雄型終端部２３を備える。雌型終端部２２は、図に示すように、例えば突出部２４であってもよい回転防止部を備える。この実施形態では、この突出部２４は、等角度に配置された４つの突出体２５を備える。すなわち、９０度毎の角度で配置されている。そして、雄型終端部２３は、図に示すように、例えば突出部２６であってよい回転防止部を備える。この実施形態では、この突出部２６は、等角度に配置された４つの突出体２７を備える。すなわち、９０度毎の角度で配置されている。
【００１６】
図８および図９は、本発明の例示的な実施形態による、第１のスクリュー３０の２つの斜視図を示す。以下でより詳細に分かるように、第１のスクリュー３０の目的は、経上皮スリーブ２０を歯科用インプラント１０に固定し、後に説明する第２のねじを続いて固定することである。第１のスクリュー３０は、六角形の頭部３１と、頭部３１に続くねじ山のない第１の胴部３２と、第１の胴部から延びるねじ山のない径の小さい第２の胴部３３、第２の胴部から延びるねじ山のない径のより小さい第３の胴部３４を備える。ねじ部分３５が、第３の胴部３４から延び、第２の胴部３３の直径と同じか又は小さい外径を有する。また、第１のスクリュー３０は、頭部３１の領域に、第１のスクリュー３０の内部に向かって延びるねじ付きの止まり穴３６を有する。
【００１７】
図１０〜図１２は、本発明の例示的な実施形態による上部部分４０の３つの図を示す。この場合、上部部分は、人工歯（図示せず）の基礎になるピラーポストである。上部部分４０またはピラーポストは、広い意味で円筒形の細長い本体４１を備え、本体４１から円錐部分４２が延在し、円錐部分４２の端面４３の直径は本体４１よりも大きい直径を有する。雄型の突出部または終端部４４が、この端面４３から突出しており、経上皮スリーブ２０の雌型終端部２２の回転防止部分（図４）に雄雌接続として結合するように構成された回転防止部分を含む。この回転防止部分は、例えば、図に示すように、突出部４５であってもよい。この実施形態では、この突出部４５は、等角度に、すなわち９０度毎に配置された４つの突出体４６を備えている。貫通孔４７が、細長い本体４１内を内端部から上端部まで延在している。貫通孔４７には縮径部４８が設けられている。着座面４９が、縮径部４８の上方に配置される。
【００１８】
図１３は、本発明の例示的な実施形態による第２のスクリュー５０の斜視図を示す。第２のスクリュー５０は、頭部５１及びねじ付き本体５２を備える。頭部５１は、手動または電動のトルク付与工具との接続のために、六角形断面などの非円形の回転防止空洞部５３を有する。第２のスクリュー５０は、以下に詳細に示すように、上部部分４０に挿入されて第１のスクリュー３０に固定されるようになっている。
【００１９】
図１４および図１５は、これまでの説明での図面に示した歯科用インプラント１０、経上皮スリーブ２０、第１のスクリュー３０、上部部分４０、および第２のスクリュー５０から構成される組の斜視図および正面図のそれぞれの２つの断面図を示す。
【００２０】
図示されているように、経上皮スリーブ２０は歯科用インプラント１０に固定される。この固定は、歯科用インプラント１０の上端の雌型終端部１５と経上皮スリーブ２０の下端の雄型終端部２３とを結合して、次にこの２つの部材の間に第１のスクリュー３０を固定することにより行われる。より具体的には、第１のスクリュー３０は、経上皮スリーブ２０の貫通孔２１を通って延び、第１のスクリュー３０のねじ部分３５が、歯科用インプラント１０の止まりねじ孔１３にねじ込まれる。第１のスクリュー３０を十分に締め付けることによって、第１のスクリュー３０の第１の胴部３２は、経上皮スリーブ２０の内面２８に対して据えられる。これは、径方向要素を有し、この実施形態では円錐形である。第１のスクリュー３０の締め付けによって作られる圧力は、歯科用インプラント１０と経上皮スリーブ２０とを互いにしっかりと固定された状態に保つ。歯科用インプラント１０と経上皮スリーブ２０との結合は、回転することができないようになっている。この特定の場合、歯科用インプラント１０の上端の雌型終端部１５の突出部１６と経上皮スリーブ２０の下端の雄型終端２３の突出部２６との回転防止結合を介して、回転ができないようになっている。したがって、経上皮スリーブ２０は、歯科インプラント１０に対して回転できないようになっている。
【００２１】
次に、上部部分４０の下端の雄型終端部４４と経上皮スリーブ２０の上端の雌型終端部２２との連結を介して、上部部分４０が経上皮スリーブ２０に固定され、次にこれらの２つの間に第２のスクリュー５０を固定する。より具体的には、第２のスクリュー５０は、上部部分４０の貫通孔４７を貫通し、第２のスクリュー５０のねじ山付き本体５２は、第１のスクリュー３０のねじ穴３０にねじ込まれる。第２のスクリュー５０を十分に締め付けることにより、第２のスクリュー５０の頭部５１が着座し、上部部分４０の貫通孔４７の着座面４９を押圧する。第２のスクリュー５０を締め付けることにより生じる圧力により、上部部分４０が経上皮スリーブ２０にしっかりと固定された状態が維持される。上部部分４０の下端の雄型終端部４４の突出部４５と経上皮スリーブ２０の上端の雌型終端部２２の突出部２４との回転防止結合を介する具体例においては、上部部分４０の経上皮スリーブ２０への結合は、回転できないようになっている。したがって、上部部分４０は、経上皮スリーブに対して回転することができない。
【００２２】
このように、本発明によるセットは、上部部分４に固定された方法で組み立てられた補綴部品が歯科用インプラント１０に対して回転しないため、一体型歯科用プロテーゼの位置決めには理想的である。これは、上部部分４０と経上皮スリーブ２０との間、および経上皮スリーブ２０と歯科用インプラント１０との間の非回転接続のおかげである。本発明は、歯科用補綴物が単一のアンカー（単一の歯科用インプラント）を介して骨に固定されていても、歯科用補綴部品は固定されたままで回転しないことを保証する。
【００２３】
好ましくは、第１の接続部６０の回転防止機構と第２の接続部７０の回転防止機構は類似の形状を有し、歯科用インプラント１０の長手方向中心軸線の方向に整列される。同様の形状によって、接続部は、同じ数の外向きおよび内向き部分と、外向きおよび内向き部分の実質的に同一の形状を有する断面を有することが理解される（例えば、同じ数の凸状の外向き突出体および凹状の内側部分）。
【００２４】
例えば、この実施形態では、前述のように、第１の接続部６０は、歯科用インプラント１０の雌型終端部１５と上皮スリーブ２０の雄型終端部２３との間の回転防止結合を含む。他方、第２の接続部７０は、経上皮スリーブ２０の雌型終端部２２と上部部分４０の雄型終端部４４との間の回転防止結合を含む。歯科用インプラント１０の雌型終端部１５は、等角度配置された突出体１７（この場合は９０度毎の４つの突出体１７）を有する突出部１６を有し、経上皮スリーブ２０の雄型終端部２３は、等角度配置された突出体２７（この場合は９０度毎の４つの突出体２７）を有する突出部２６を有する。次に、経上皮スリーブ２０の雌型終端部２２は、等角度配置された突出体２５（この場合は９０度毎の４つの突出体２５）を有する突出部２４を有し、上部部分４０の雄型終端部４４は、等角度配置された突出体４６（この場合は９０度毎の４つの突出体４６）を有する突出部４５を有する。図７に示すように、経上皮スリーブ２０の雌型終端部２２および雄型終端部２３の突出部分２４，２６は、経上皮スリーブ２０の長手方向軸線２９の方向に位置合わせされており、第１の接続部６０と第２の接続部７０の位置合わせを可能にしている。換言すれば、両方の突出部２４，２６の突出体２５，２７、および突出体２５，２７間の凹部は、同じ角度方向に向けられている。
【００２５】
本発明によって提供される整列は、患者の口腔内に歯科インプラント１０およびの他の部品を位置付けるプロセスにおいて特に有利である。歯科用インプラント１０の位置付けを開始すると、外科医は、歯科用インプラント１０の回転防止部分の幾何学的形状の向きを観察することによって上部部品４０の最終的な向きを知ることができる。換言すれば、外科医は、突出部１６の幾何学的形状の向きは、経上皮スリーブ２０の上部突出部２４の向き、したがってプロセスの終わりに配置される上部４０の向きに関する基準とする。結果として、外科医は、歯科用インプラント１０を調整して、上部部品４０の最適な配置を可能にする最も適切な向きに突出部１６を配置することができる。インプラントが骨接合されると、残りの部分、すなわち、経上皮スリーブ２０、第１のネジ３０、上部部分４０および第２のネジ５０が位置付けられ、上部部分４０を完全な角度に向けさせることを確実にする。
【図１】
2018531713.tif 000003
【図２】
2018531713.tif 000004
【図３】
2018531713.tif 000005
【図４】
2018531713.tif 000006
【図５】
2018531713.tif 000007
【図６】
2018531713.tif 000008
【図７】
2018531713.tif 000009
【図８】
2018531713.tif 000010
【図９】
2018531713.tif 000011
【図１０】
2018531713.tif 000012
【図１１】
2018531713.tif 000013
【図１２】
2018531713.tif 000014
【図１３】
2018531713.tif 000015
【図１４】
2018531713.tif 000016
【図１５】
2018531713.tif 000017
【国際調査報告】
2018531713.tif 000018
2018531713.tif 000019
2018531713.tif 000020
2018531713.tif 000021